(57)【要約】      （修正有）【課題】凹凸を有する記録媒体であっても、現像剤を均一に転写して、記録媒体に転写された画像の品質を向上することができる画像形成装置を提供する。【解決手段】記録媒体Ｐを搬送する搬送部２００と、画像を形成する画像形成部１００と、該画像形成部１００に記録媒体Ｐを搬送する搬送部２００と、転写バイアスを印加して、該画像を該記録媒体Ｐに転写する転写部３００とを有し、画像形成部１００と記録媒体Ｐとは離間して配置され、転写バイアスは、直流成分に交流成分を重畳したものであることを特徴とする。【選択図】図１
2013221955.tif 000002
【特許請求の範囲】
【請求項１】
記録媒体を搬送する搬送部と、画像を形成する画像形成部と、該画像形成部に記録媒体を搬送する搬送部と、転写バイアスを印加して、該画像を該記録媒体に転写する転写部とを有し、  
前記画像形成部と前記記録媒体とは離間して配置され、
前記転写バイアスは、直流成分に交流成分を重畳したものであることを特徴とする画像形成装置。
【請求項２】
前記転写部には、該転写部を前記画像形成部から離間する離間機構が設けられていることを特徴とする請求項２記載の画像形成装置。
【請求項３】
前記離間機構は、前記記録媒体の特性、前記転写バイアスの印加電圧に応じて、前記転写部と前記画像形成部との離間を、所定間隔に調整することを特徴とする請求項１または２記載の画像形成装置。
【請求項４】
前記記録媒体は、表面を凹凸を有することを特徴とする請求項１または３記載の画像形成装置。
【発明の詳細な説明】
【技術分野】
【０００１】
本発明は、表面が凹凸を有する記録媒体、特に、紙、フィルムまたは天然や人造の布帛、織物、不織物等に画像を転写する画像形成装置に関するものである。
【背景技術】
【０００２】
紙、フィルムまたは天然や人造の布帛、織物、不織物、編み物（ニット）等の表面に凹凸を有する記録媒体に、画像を記録する装置として、特許文献１、２および３がある。
【０００３】
これら特許文献の構成は、特許文献１の図２および特許文献２の図１に示すように、予め、記録媒体となる布帛が巻きつけられた巻付けローラと、巻付けローラから繰出された布帛を巻き取る巻取りローラとにより、布帛をインクジェットヘッドに搬送して、布帛にインクを吐出して、布帛に画像を形成する、いわゆるインクジェット方式によるものである。さらに、特許文献３は、第１図、２図に示すように、乾式の現像剤を用いて、記録媒体に画像を転写するものである。
【０００４】
【特許文献１】特開平７−１０１１２１号公報
【特許文献２】特開２００９−２３５５８８号公報
【特許文献３】特開昭５２−１８９８３号公報
【発明の開示】
【発明が解決しようとする課題】
【０００５】
これら特許文献の構成、特に特許文献３は、第１８図に示すように、転写ローラ（１１７、１１７´）により、記録媒体をドラム（Ｄ、Ｄ´）に押圧する構成であるため、記録媒体の凸部には現像剤が転写しやすく、記録媒体の凹部には現像剤が転写されにくい。この結果、記録媒体の凹部部分は鮮明さが欠け、記録媒体に転写された画像の品質が低下してしまうという問題があった。
【課題を解決するための手段】
【０００６】
上記の問題を解決するために、本発明は、請求項１記載の発明は、記録媒体を搬送する搬送部と、画像を形成する画像形成部と、該画像形成部に記録媒体を搬送する搬送部と、転写バイアスを印加して、該画像を該記録媒体に転写する転写部とを有し、画像形成部と記録媒体とは離間して配置され、転写バイアスは、直流成分に交流成分を重畳したものであることを特徴とする。
【０００７】
請求項２記載の発明は、転写部に、該転写部を画像形成部から離間する離間機構を設けることを特徴とする。請求項３記載の発明は、離間機構が、記録媒体の特性、転写バイアスの印加電圧に応じて、転写部と画像形成部との離間を、所定間隔に調整することを特徴とする。請求項４記載の発明は、記録媒体は表面を凹凸を有することを特徴とする。
【発明の効果】
【０００８】
本発明は、画像形成部と記録媒体とを離間して配置し、転写部に直流成分に交流成分を重畳した転写バイアスを印加することにより、凹凸を有する記録媒体であっても、現像剤を均一に転写することができる。この結果、録媒体に転写された画像の品質を向上することができる。
【０００９】
また、転写部に、転写部を画像形成部から離間する離間機構を設け、離間機構が、記録媒体の特性、転写バイアスの印加電圧に応じて、転写部と画像形成部との離間を、所定間隔に調整することにより、上記の効果をさらに向上させることができる。
【図面の簡単な説明】
【００１０】
【図１】本発明の画像形成装置の概略図。
【図２】図１の矢視Ａの拡大図。
【発明を実施するための最良の形態】
【００１１】
以下、本発明の実施の形態を図面に基づいて説明する。図１に、本発明の画像形成装置の概略図を示す。この装置は、画像形成部１００と、繰出部５００と、巻取部６００と、搬送部２００と、定着部７００と、吸着部８００と、除電部９００と、画像形成部１００と、転写部３００とからなる。
【００１２】
画像形成部１００は、記録媒体Ｐに転写する画像を形成するものである。画像形成部１００は、各色に対応した画像形成手段（１１０Ｙ、１１０Ｍ、１１０Ｃ、１１０Ｂｋ）と、これら画像形成手段（１１０Ｙ、１１０Ｍ、１１０Ｃ、１１０Ｂｋ）に対応した転写手段（１２０Ｙ、１２０Ｍ、１２０Ｃ、１２０Ｂｋ）と、現像剤像搬送手段１３０とからなる。
【００１３】
画像形成手段（１１０Ｙ、１１０Ｍ、１１０Ｃ、１１０Ｂｋ）は、上から順に、イエローＹ、マゼンタＭ、シアンＣ、ブラックＢＫが並列に配置されている。像担持体（１１１Ｙ、１１１Ｍ、１１１Ｃ、１１１Ｂｋ）の周囲に、像担持体（１１１Ｙ、１１１Ｍ、１１１Ｃ、１１１Ｂｋ）上の残留電荷を除去する除電手段（図示せず）と、像担持体（１１１Ｙ、１１１Ｍ、１１１Ｃ、１１１Ｂｋ）の表面を特定極性に帯電する帯電手段（図示せず）、帯電された像担持体（１１１Ｙ、１１１Ｍ、１１１Ｃ、１１１Ｂｋ）の静電潜像を形成する露光手段（図示せず）と、像担持体（１１１Ｙ、１１１Ｍ、１１１Ｃ、１１１Ｂｋ）の表面に形成された静電潜像を現像剤により現像する現像装置（１１２Ｙ、１１２Ｍ、１１２Ｃ、１１２Ｂｋ）とからなる。
【００１４】
各色のトナーの供給はトナーカートリッジ（１１３Ｙ、１１３Ｍ、１１３Ｃ、１１３Ｂｋ）により行われる。なお、この実施の形態では、各色の混色が生じたとしても、余り目立たないようにするために、現像剤の搬送方向の順に、垂直に、イエローＹ、マゼンタＭ、シアンＣ、ブラックＢＫ順に配置されているが、これに限定されることはなく、ブラックＢＫ、シアンＣ、マゼンタＭ、イエローＹとしてもよい。
【００１５】
現像剤像搬送手段１３０は、各色の画像形成手段（１１０Ｙ、１１０Ｍ、１１０Ｃ、１１０Ｂｋ）で形成された現像剤像を記録媒体Ｐ側に搬送するものである。現像剤像搬送手段１３０は、ループ状のベルト１３１（無端ベルト）と、駆動ユニット１３２と、従動ローラ１３３と、近接ローラ１３４とからなる。
【００１６】
駆動ユニット１３２と従動ローラ１３３と近接ローラ１３４とによって、ベルト１３１は、張力がかかった状態で掛け渡されている。駆動ユニット１３２は、二つのローラ（１３５ａ、１３５ｂ）からなる。近接ローラ１３４は、駆動ユニット１３２の二つのローラ（１３５ａ、１３５ｂ）間に設けられ、ベルト１３１に各色の転写手段（１２０Ｙ、１２０Ｍ、１２０Ｃ、１２０Ｂｋ）によりされた現像剤像が記録媒体Ｐに転写されやすいように、転写部３００側に突出している。
【００１７】
この記録媒体Ｐは、紙、フィルムまたは天然や人造の布帛、織物、不織物、編み物（ニット）等の表面に凹凸を有するものをロール状に巻いたものである。記録媒体Ｐは繰出部５００により繰り出され、繰り出された記録媒体Ｐは搬送部２００により画像形成部１００に送られて記録媒体Ｐに画像を転写し、その後、記録媒体Ｐに転写された画像を定着部７００で定着して巻取部６００で巻き取られる。
【００１８】
繰出部５００と定着部７００と間は、引っ張り力が一定となるように調整されている。具体的には、繰出部５００Ａに、一対のローラのグリップ力（Ｆ）よりも強い力（Ｆ１）が加わるようになると、搬送される記録媒体Ｐが定着部７００側に引っ張られ、この記録媒体Ｐに強いテンションが作用する。
【００１９】
この状態を、検知手段（図示せず）を介して制御手段（図示せず）が検知すると、制御手段は、繰出部５００の記録媒体Ｐの繰出し量（速度）を多く（速く）することにより、記録媒体Ｐの引っ張り力を一対のローラのグリップ力（Ｆ）となるように構成されている。
【００２０】
巻取部６００は、画像が定着された記録媒体Ｐを巻き戻すものである。また、繰出部５００と同様に、巻取部６００も、定着部７００の記録媒体Ｐの引っ張り力が一定となるように構成されている。
【００２１】
この場合、巻き戻される記録媒体Ｐに強いテンションが作用し、一対のローラのグリップ力（Ｆ）よりも強い力（Ｆ２）が加わるようになると、繰出部５００の記録媒体Ｐの巻戻し量（速度）を少なく（遅く）することにより、記録媒体Ｐの繰出部５００の記録媒体Ｐの巻戻し力を一対のローラのグリップ力（Ｆ）となるように構成されている。このように、記録媒体Ｐの搬送は、定着部７００のグリップ力、搬送速度を基準として、繰出部５００および巻取部６００の調整が行われている。
【００２２】
搬送部２００は、繰出部５００から繰出された記録媒体Ｐを、転写部３００および定着部７００に搬送するものである。搬送部２００は、ループ状のベルト２１０（無端ベルト）と、駆動ユニット２２０と、従動ローラ２３０とからなる。搬送部２００は、駆動ユニット２２０と従動ローラ２３０とにより、ベルト２１０に張力が張った状態で架け渡されている。
【００２３】
駆動ユニット２２０は、二つのローラ（２２１、２２２）からなり、一方のローラ２２１側には後に述べる吸着部８００が設けられている。吸着部８００は、所定の電圧で印加して、記録媒体Ｐを搬送部２００のベルトに吸着するものであり、記録媒体Ｐをベルト２１０上に保持させた状態で、画像形成部１００および定着部７００側に、記録媒体Ｐを移動させるとともに、ベルト２１０上で記録媒体Ｐの皺を延ばす。
【００２４】
除電部９００は、画像（現像剤像搬送手段に形成された現像剤像）が転写された記録媒体Ｐを定着部７００に搬送される際に、ベルトから記録媒体Ｐが分離しやすいようにするとともに、この画像が壊れないように除電を行うものである。
【００２５】
除電部９００は、コロナ帯電器であり、コロナワイヤ９１０とコロナワイヤ９１０を覆うコロナハウス９２０とからなり、所定のバイアスが印加されている。また、除電手段（１１２Ｙ、１１２Ｍ、１１２Ｃ、１１２Ｂｋ）は、ベルト２１０に吸着した記録媒体Ｐが分離する部分、つまり、従動ローラ２３０の上方に配置されている。
【００２６】
ベルト２１０内には、現像剤像搬送手段１３０に転写された現像剤像を記録媒体Ｐに転写する転写部３００が設けられている。転写部３００は、ベルト２１０に接触して記録媒体Ｐに直流成分に交流成分を重畳した転写バイアスを印加する電源３３０に接続されている。
【００２７】
さらに、転写部３００は、ローラ３１０と、このローラ３１０を支持するローラ支持手段３２０とからなる。ローラ支持手段３２０には、転写部３００と画像形成部１００との離間Ｇを、所定間隔に調整する離間機構４００が設けられている。転写部３００と画像形成部１００との離間Ｇは、図示しない制御手段により、記録媒体Ｐの特性、転写バイアスの印加電圧に応じて、ローラ３１０をベルト２１０側に所定間隔でシフトさせて調整する。
【００２８】
このように、画像形成部１００と記録媒体Ｐとを離間Ｇして配置し、転写部３００に直流成分に交流成分を重畳した転写バイアスを印加することにより、凹凸を有する記録媒体Ｐであっても、現像剤を均一に転写することができる。
【００２９】
さらに、離間機構４００により、記録媒体Ｐの特性、転写バイアスの印加電圧に応じて、転写部３００と画像形成部１００との離間Ｇを、所定間隔に調整することにより、上記の効果をさらに向上させることができる。
【符号の説明】
【００３０】
１００  画像形成部
２００  搬送部
３００  転写部
４００  離間機構
Ｐ  記録媒体
Ｇ  離間
【図１】
2013221955.tif 000003
【図２】
2013221955.tif 000004